(57)【特許請求の範囲】
【請求項１】
画像情報を取得する画像情報取得手段と、
前記画像情報取得手段により取得した画像情報に含まれる識別情報を認識する識別情報認識手段と、
前記画像情報取得手段により連続して取得した画像情報を一のファイルに集約するジョブ実行条件設定手段と、
集約されたファイルのうち先頭の画像情報に含まれる前記識別情報を一覧にした一覧表示画面を表示する一覧表示画面表示手段と、
前記一覧表画面に表示された識別情報の中から識別情報を選択する識別情報選択手段と、
前記識別情報選択手段により選択された前記識別情報を、前記ジョブ実行条件設定手段により集約されたファイルのファイル名又は件名として、ヘッダ又はフッタに付加して印刷する印刷制御手段と、
を有することを特徴とする画像入出力装置。
【請求項２】
集約された画像情報のうち先頭の画像情報に含まれる前記識別情報を、前記ジョブ実行条件設定手段により集約された画像情報のファイル名として付加して記憶する記憶制御手段をさらに有することを特徴とする請求項１に記載の画像入出力装置。
【請求項３】
前記識別情報認識手段は、前記画像情報取得手段により取得した画像情報に含まれる符号に基づき、識別情報を認識することを特徴とする請求項１又は２に記載の画像入出力装置。
【請求項４】
前記画像情報取得手段は、記録媒体に記録された画像を読み取ることにより画像情報を取得することを特徴とする請求項１乃至３のいずれか一項に記載の画像入出力装置。
【請求項５】
前記画像情報取得手段は、ネットワークを介して接続された外部機器から受信した画像情報を含む電子ファイルから画像情報を取得することを特徴とする請求項１乃至４のいずれか一項に記載の画像入出力装置。
【請求項６】
前記画像情報取得手段は、当該画像入出力装置の内部又は外部の記憶装置に記憶された情報から画像情報を取得することを特徴とする請求項１乃至５のいずれか一項に記載の画像入出力装置。
【請求項７】
画像情報の入出力を行う画像入出力装置における画像入出力方法であって、
画像情報を取得する画像情報取得工程と、
前記画像情報取得工程において取得した画像情報に含まれる識別情報を認識する識別情報認識工程と、
前記画像情報取得工程において連続して取得した画像情報を一のファイルに集約するジョブ実行条件設定工程と、
集約されたファイルのうち先頭の画像情報に含まれる前記識別情報を一覧にした一覧表示画面を表示する一覧表示画面表示工程と、
前記一覧表画面に表示された識別情報の中から識別情報を選択する識別情報選択工程と、
前記識別情報選択工程により選択された前記識別情報を、前記ジョブ実行条件設定工程により集約された画像情報のファイル名又は件名として、ヘッダ又はフッタに付加して印刷する印刷制御工程と、
を有することを特徴とする画像入出力方法。
【発明の詳細な説明】
【技術分野】
【０００１】
本発明は、画像入出力装置及び画像入出力方法に関する。
【背景技術】
【０００２】
今日、デジタル複写機においては、多機能化によって、プリンタ、スキャナおよびファクシミリなどの複数の機能を有する複合型のものが多く普及しており、デジタル複写機に有する機能を有効に使うためには、利用者が設定する必要がある画像形成条件等の設定項目が増大している。しかし、デジタル複写機に設定を入力するための入力手段として設けられている、例えば液晶表示装置の大きさやハードキーの個数には限りがあるため、液晶表示装置を用いた設定メニューの表示画面を切り替えるため表示する層が深くなる傾向があり、利用者にとって使い勝手が悪いものになっている。
【０００３】
このような問題を解決するため、例えば特許文献１によると、画像形成条件をバーコード等の光学的に読取可能な状態で記録し、それをデジタル複写機のスキャナで読み取り認識し、画像形成条件を自動的に設定する技術が開示されている。
【０００４】
また、近年においては、デジタル複合機はネットワーク上の一端末として位置付けられ、手書き文書や紙の資料を電子化し、ネットワークで共有・活用することが可能となり、入力画像をデジタル複合機から所定のパーソナルコンピュータに配信するようなことも行われている。
【特許文献１】特開２００６−１５３２９５号公報
【発明の開示】
【発明が解決しようとする課題】
【０００５】
しかしながら、従来のデジタル複合機では、スキャナなどを用いて電子化された手書き文書や紙の資料などを所定のパーソナルコンピュータに配信したり又は保存したりする場合に、ユーザが望むデータ名で配信する又は保存するためにはユーザはデータ名を入力する必要があった。
【０００６】
そのため、膨大な手書き文書や紙の資料などを配信したり又は保存したりする場合に、データ名の設定という点で利用者にとっては使い勝手が悪いものになっていた。即ち、手書き文書や紙の資料などに含まれる画像情報を出力（或いは蓄積）など行う場合に、画像情報の識別情報（出力名）の設定という点で使い勝手が悪いものであるという問題があった。
【０００７】
本発明は、上記の点に鑑みて、この問題を解決するために発明されたものであり、画像情報を出力する場合に、画像情報の識別情報の設定を効果的に行うことができる画像入出力装置及び画像入出力方法を提供することを目的とする。
【課題を解決するための手段】
【０００８】
上記の目的を達成するために、本発明の画像入出力装置は、画像情報を取得する画像情報取得手段と、
前記画像情報取得手段により取得した画像情報に含まれる識別情報を認識する識別情報認識手段と、
前記画像情報取得手段により連続して取得した画像情報を一のファイルに集約するジョブ実行条件設定手段と、
集約されたファイルのうち先頭の画像情報に含まれる前記識別情報を一覧にした一覧表示画面を表示する一覧表示画面表示手段と、
前記一覧表画面に表示された識別情報の中から識別情報を選択する識別情報選択手段と、
前記識別情報選択手段により選択された前記識別情報を、前記ジョブ実行条件設定手段により集約されたファイルのファイル名又は件名として、ヘッダ又はフッタに付加して印刷する印刷制御手段と、を有するように構成することができる。
【０００９】
また、上記の目的を達成するために、本発明の画像入出力装置は、集約された画像情報のうち先頭の画像情報に含まれる前記識別情報を、前記ジョブ実行条件設定手段により集約された画像情報のファイル名として付加して記憶する記憶制御手段をさらに有するように構成することができる。
【００１０】
また、上記の目的を達成するために、本発明の前記識別情報認識手段は、前記画像情報取得手段により取得した画像情報に含まれる符号に基づき、識別情報を認識するように構成することができる。
【００１６】
また、上記の目的を達成するために、本発明の前記画像情報取得手段は、記録媒体に記録された画像を読み取ることにより画像情報を取得するように構成することができる。
【００１７】
また、上記の目的を達成するために、本発明の前記画像情報取得手段は、ネットワークを介して接続された外部機器から受信した画像情報を含む電子ファイルから画像情報を取得するように構成することができる。
【００１８】
また、上記の目的を達成するために、本発明の前記画像情報取得手段は、当該画像入出力装置の内部又は外部の記憶装置に記憶された情報から画像情報を取得するように構成することができる。
【００１９】
また、上記の目的を達成するために、本発明の画像入出力方法は、画像情報の入出力を行う画像入出力装置における画像入出力方法であって、
画像情報を取得する画像情報取得工程と、
前記画像情報取得工程において取得した画像情報に含まれる識別情報を認識する識別情報認識工程と、
前記画像情報取得工程において連続して取得した画像情報を一のファイルに集約するジョブ実行条件設定工程と、
集約されたファイルのうち先頭の画像情報に含まれる前記識別情報を一覧にした一覧表示画面を表示する一覧表示画面表示工程と、
前記一覧表画面に表示された識別情報の中から識別情報を選択する識別情報選択工程と、
前記識別情報選択工程により選択された前記識別情報を、前記ジョブ実行条件設定工程により集約された画像情報のファイル名又は件名として、ヘッダ又はフッタに付加して印刷する印刷制御工程とを有するように構成することができる。
【発明の効果】
【００２０】
本発明によれば、画像情報を出力する場合に、画像情報の識別情報の設定を効果的に行うことができる画像入出力装置及び画像入出力方法を提供することができる。
【発明を実施するための最良の形態】
【００２１】
以下、本発明を実施するための最良の形態について図面を参照して説明する。
【００２２】
［第１の実施形態］
以下、本発明の第１の実施の形態について図１〜図５を参照して説明する。
【００２３】
（装置の構成）
図１は、本発明の実施形態１におけるデジタル複写機の概略構成を示すブロック図である。なお、本実施形態１においては画像入出力装置の一例として、デジタル複写機を例に説明する。
【００２４】
図１において、デジタル複写機１は、外部記憶装置１４、外部メディア入出力装置１５、印刷装置１６、画像読取装置１７、表示装置１８、入力装置１９などとバスなどを介して接続されている。
【００２５】
また、ＦＡＸ回線２１を介して他のファクシミリ装置とファクシミリデータの授受を行ったり、インターネット２２とモデム、ルータ等の通信制御ユニット２３を介して外部機器と接続するとともに、有線，無線等によりパーソナルコンピュータ（以下、ＰＣという）２４，サーバーコンピュータ（以下、サーバーという）２５と接続して情報の授受を行ったりする。
【００２６】
デジタル複写機１は、当該デジタル複写機１に接続された上記の各種装置などを制御するための非図示のＣＰＵ（Central Processing Unit）、ＲＯＭ(Read Only Memory)やＲＡＭ(Random Access Memory)などから構成されるメモリユニット、ＦＡＸ制御部、ＬＡＮ制御部、入出力デバイス制御ユニット、記憶装置制御ユニット、画像処理制御ユニット、入力制御ユニットを備えている。さらに、記憶装置制御ユニットに接続された内蔵ハードディスクドライブ（以下、ＨＤＤという）などで構成される記憶装置、画像処理制御ユニットに接続された印刷制御ユニット，画像読取制御ユニット，表示制御ユニットなどを有している。
【００２７】
外部記憶装置１４は、外付けＨＤＤ（Hard Disk Drive）等の記憶装置である。外部メディア入出力装置１５は、マルチメディアカード（登録商標），スマートメディア（登録商標），メモリスティック（登録商標），ＳＤメモリカード（登録商標），ＣＤ−ＲＯＭ，フロッピー（登録商標）ディスク，ＵＳＢメモリ（登録商標）などの各メディアから情報の入出力を行うための入出力装置である。
【００２８】
印刷装置１６は、モノクロ，カラー，両面印刷が可能な、レーザープリンタ，インクジェットプリンタなどで構成される出力装置である。画像読取装置１７は、光学的処理等により原稿画像を電子データとして読み取る装置である。表示装置１８は、タッチパネル，ＣＲＴ，液晶などで構成される出力装置である。
【００２９】
入力装置１９は、タッチパネルやキーボタンで構成される入力のための装置である。またマイクで構成される音声による入力のための装置であってもよい。
【００３０】
以上で示されるように、本実施形態１のデジタル複写機１は、当該デジタル複写機１に接続された（或いは、含まれる）上記の各種装置などを制御する。
【００３１】
また、当該デジタル複写機１は、画像読取装置１７などにより取得した画像情報を、該画像情報に含まれる識別情報に応じて、識別して出力（或いは記憶）するように制御する。識別情報とは、出力ファイル名（或いは保存ファイル名）などコンピュータ上で識別を行うための情報である。デジタル複写機１は、画像読取装置１７などにより取得した画像情報に含まれる識別情報を出力ファイル名として付加するなどして出力する処理などを行う。
【００３２】
これにより、画像情報を出力（或いは記憶）する場合に、画像情報の識別情報（例えばヘッダ情報）の設定を効果的に行うことができる。その具体的構成などについては図２等を参照して後述する。
【００３３】
（機能の構成）
図２は、本発明の実施形態１におけるデジタル複写機の機能構成の一例を示すブロック図である。なお、図２に示す各ブロック間を結ぶ矢印は代表的な信号の流れを表すものであって、各ブロックの機能を限定するものではない。
【００３４】
図２において、デジタル複写機１は、画像情報取得部１０１、画像情報認識部１０２、識別情報認識部１０３、出力制御部（記憶制御部）１０４、記憶装置１０５などを有する。
【００３５】
画像情報取得部１０１は、画像情報を取得する。例えば画像読取装置１７で読み取られた画像情報、外部記憶装置１４、外部メディア入出力装置１５又は記憶装置１０５に記憶された画像情報、インターネット２２を介して接続された外部機器から受信した画像情報、ＦＡＸ回線２１を介して他のファクシミリ装置から受信したファクシミリデータに基づく画像情報、などを取得する。
【００３６】
画像情報認識部１０２は、画像情報取得部１０１により取得した画像情報を認識する。識別情報認識部１０３は、画像情報取得部１０１により取得した画像情報に含まれる識別情報を認識する。例えば、画像情報に含まれるＱＲコード（登録商標）などの光学読取符号に基づき、識別情報を認識する。識別情報とは、後述の出力制御部（記憶制御部）１０４による出力（或いは記憶）動作に係る出力ファイル名（或いは保存ファイル名）などコンピュータ上で識別を行うための情報である。
【００３７】
出力制御部（記憶制御部）１０４は、画像情報認識部１０２により認識した画像情報を、識別情報認識部１０３により認識した識別情報に応じて、識別して出力（或いは記憶）する。例えば、画像情報に識別情報であるヘッダ情報を付加して、印刷装置１６により記憶媒体上に画像形成する。また例えば、画像情報に基づき生成する電子ファイルのファイル名又は件名に識別情報を付加して、ＦＡＸ回線２１を介して他のファクシミリ装置にファクシミリ送信したり、インターネット２２を介して接続された外部機器に送信したりする出力動作を行う。さらには、画像情報に基づき生成する電子ファイルのファイル名（文書名、カテゴリー名などを含む）に識別情報を付加して、記憶装置１０５などにより電子ファイルを記憶する。
【００３８】
以上の機能の構成により、デジタル複写機１では、画像読取装置１７などにより取得した画像情報を、該画像情報に含まれる識別情報に応じて、識別して出力（或いは記憶）するように制御する。
【００３９】
（動作例）
図３は、本発明の実施形態１におけるデジタル複写機の動作の一例を示すフローチャートである。ここでは、図２の機能ブロック図も参照して、デジタル複写機１が、画像読取装置１７などにより取得した画像情報を、出力（或いは記憶）するように制御する動作の一例の説明を行う。
【００４０】
まず、画像情報取得部１０１は画像情報を取得する（Ｓ１）。ここでは、画像読取装置１７で読み取られた画像情報、外部記憶装置１４、外部メディア入出力装置１５又は記憶装置１６に記憶された画像情報、インターネット２２を介して接続された外部機器から受信した画像情報、ＦＡＸ回線２１を介して他のファクシミリ装置から受信したファクシミリデータに基づく画像情報などを取得する。図４は、取得する画像情報の一例を示す図である。本実施形態１で利用する画像情報は、図４のようにＱＲコードなどの２次元コードが所定位置に記録された画像データである。
【００４１】
ステップＳ２へ移って、識別情報認識部１０３はステップＳ１で取得した画像情報に含まれる識別情報があるか否か判定する（Ｓ２）。識別情報とは、前述したようにコンピュータ上で識別を行うための情報であり、例えば出力ファイル名（或いは保存ファイル名）などである。ここでは、図４に示すＱＲコードに含まれる所定の文字列を識別情報とする。
【００４２】
識別情報がある場合（Ｓ２、ＹＥＳ）、ステップＳ３へ移って、識別情報認識部１０３は画像情報から識別情報を認識する（Ｓ３）。ここでは、図４のＱＲコードに含まれる所定の文字列を認識する。識別情報がない場合（Ｓ２、ＮＯ）、ここでは処理を終了する。
【００４３】
ステップＳ４へ移って、画像情報認識部１０２はステップＳ１で取得した画像情報を認識する（Ｓ４）。ここでは、図４に示す画像情報を認識する。続いて、ステップＳ５へ移って、出力制御部１０４はステップＳ４で認識した画像情報を、ステップＳ３で認識した識別情報に応じて、出力（或いは記憶）する（Ｓ５）。図５は、画像情報を識別情報に応じて出力又は記憶する処理を説明するための図である。
【００４４】
ステップＳ５では、例えば、画像情報にステップＳ３で認識した所定の文字列をヘッダ情報として付加して、印刷装置１６により記憶媒体上に画像形成する（図５(ａ)参照）。また例えば、画像情報に基づき生成する電子ファイルのファイル名又は件名に識別情報を付加して、ＦＡＸ回線２１を介して他のファクシミリ装置にファクシミリ送信したり、インターネット２２を介して接続された外部機器に送信したりする出力動作を行う（図５（ｂ）参照）。さらには、画像情報に基づき生成する電子ファイルのファイル名（文書名、カテゴリー名などを含む）に識別情報を付加して、記憶装置１６などにより電子ファイルを記憶する（図５（ｃ）参照）。
【００４５】
以上で示される処理により、デジタル複写機１が、画像読取装置１７などにより取得した画像情報を、該画像情報に含まれる識別情報に応じて、識別して出力（或いは記憶）するように制御する。そのため、画像情報を出力（或いは記憶）する場合に、予め図４のようにＱＲコードなどの２次元コード内に出力ファイル名（或いは保存ファイル名）を記録することにより、画像情報の識別情報の設定を効果的に行うことができる。
【００４６】
［第２の実施形態］
以下、本発明の第２の実施の形態について図６〜図１１を参照して説明する。
【００４７】
前述した実施形態１では、デジタル複写機１が、画像読取装置１７などにより取得した画像情報を、該画像情報に含まれる識別情報に応じて、識別して出力（或いは記憶）するように制御する形態について説明を行った。
【００４８】
ここでは、デジタル複写機１が識別情報として用いる情報をユーザが設定できる形態について説明する。つまり、前述した実施形態１では画像情報に含まれるＱＲコードなどに含まれる情報を識別情報として用いたが、例えば出力（或いは記憶）動作の実行日時などのその他の情報を識別情報として用いるように設定することができる。設定された設定内容に応じて、デジタル複写機１は取得した画像情報を識別して出力（或いは記憶）するように制御する。なお、本実施形態２におけるデジタル複写機１の装置構成は、前述した実施形態１のそれ（図１参照）と同様であるとしてここでは説明を省略する。
【００４９】
（機能の構成）
図６は、本発明の実施形態２におけるデジタル複写機の機能構成の一例を示すブロック図である。なお、図６に示す各ブロック間を結ぶ矢印は代表的な信号の流れを表すものであって、各ブロックの機能を限定するものではない。
【００５０】
図６において、デジタル複写機１は、画像情報取得部１０１、画像情報認識部１０２、識別情報認識部１０３、出力制御部（記憶制御部）１０４、記憶装置１０５、ジョブ実行条件設定部１０６、キーワード設定部１０７、ファイル分割設定部１０８などを有する。なお、前述した図２に示すブロック図とは、ジョブ実行条件設定部１０６、キーワード設定部１０７、ファイル分割設定部１０８が付加されている点が相違するので、ここではこれらの各部について説明を行う。
【００５１】
ジョブ実行条件設定部１０６は、デジタル複写機１の各種ジョブの実行条件を設定する。ジョブの実行条件とは、例えばジョブが印刷出力の場合は印刷出力を実行する際の画像サイズ、解像度などのデジタル複写機１の機能を実行する際の実行条件である。デジタル複写機１はジョブ実行条件設定部１０６において設定された設定内容に基づいて、各種動作を行う。ここでは特に、画像情報取得部１０１、画像情報認識部１０２、識別情報認識部１０３、出力制御部１０４は、ジョブ実行条件設定部１０６において設定された設定内容に基づいて各種動作を行う。
【００５２】
図７は、ジョブ実行条件設定部１０６において設定された設定内容の一例を示す。図７では「キーワード設定」、「ファイル分割数」という設定項目が設けられている。各設定項目についての詳細は、それぞれキーワード設定部１０７及びファイル分割設定部１０８において後述する。なお、ジョブ実行条件設定部１０６において設定される設定内容はこの場合に限らない。出力時の画像サイズ、解像度などその他の設定項目が適宜設けられるものとする。
【００５３】
キーワード設定部１０７は、デジタル複写機１のジョブ実行条件の一つであるキーワードを設定する。ここでのキーワードとは、デジタル複写機１が画像情報を識別して出力（或いは記憶）するために用いる識別情報と同義である。図７では、「キーワード設定」に「％ＱＲコード％」が対応付けられている。これは、デジタル複写機１が画像情報を出力（或いは記憶）する際の出力ファイル名（或いは保存ファイル名）の全部又は一部が、画像情報内のＱＲコードに格納された文字列に変換される設定であることを示している。なお、設定できるキーワードは「％ＱＲコード％」に限るものではない。設定できるキーワードの例について図８を参照して説明する。
【００５４】
図８は、キーワード設定を促す画面表示の一例を示す図である。デジタル複写機１の表示装置１８などに表示された図８のようなキーワード設定画面上で、識別情報として用いる情報がユーザにより選択される。選択された情報は図７の「キーワード設定」の設定項目に対応付けられてデジタル複写機１に保持される。図８の各項目について以下説明を行う。
【００５５】
「％機種名％」は、デジタル複写機１の機種名に変換されることを示す。「％ユーザ名％」は、個人設定のユーザ名に変換されることを示す。「％個人名％」は、個人設定の個人名に変換されることを示す。「％グループ名％」は、本籍を置いているグループ名に変換されることを示す。「％文書名％」は、蓄積タブで指定した文書名に変換されることを示す。「％送信ファイル名％」は、送信タブで指定した送信ファイル名に変換されることを示す。「％ホスト名％」は、システム設定のホスト名に変換されることを示す。「％ＱＲコード％」は、画像内のＱＲコードに格納された文字列に変換されることを示す。「％バーコード％」は、画像内のバーコードに格納された文字列に変換されることを示す。「％印刷部数％」は、印刷時の部数に変換されることを示す。「％実行日時％」は、ジョブの実行開始日時（個人設定の日付表示形式）に変換されることを示す。「％実行時刻％」は、ジョブの実行開始時刻（個人設定の時刻表示形式）に変換されることを示す。「％年月日時分秒％」は、ジョブを実行した日時がYYMMDDhhmmss形式に変換されることを示す。「％受信メール日付％」は、メールの受信日付（個人設定の日付表示形式）に変換されることを示す。「％受信メール時刻％」は、メールの受信時刻（個人設定の時刻表示形式）に変換されることを示す。「％受信メールＴＯ％」は、受信したメールの宛先に変換されることを示す。「％受信メールＣＣ％」は、受信したメールのＣＣに変換されることを示す。「％受信メール件名％」は、受信したメールの件名に変換されることを示す。「％受信メール本文％」は、受信したメールの本文に変換されることを示す。「％送信ファクス番号％」は、受信メールからファクス送信した時のファクス番号に変換されることを示す。「％受信ファクス日付％」は、ファクスの受信日付（個人設定の日付表示形式）に変換されることを示す。「％受信ファクス時刻％」は、ファクスの受信時刻（個人設定の時刻表示形式）に変換されることを示す。「％受信ファクス発信元％」は、受信したファクスの発信元名称に変換されることを示す。「％受信ファクス回線％」は、ファクスを受信した回線名に変換されることを示す。
【００５６】
このように、機種名などの機械固有情報、個人名などの個人固有情報、ジョブ実行日時などのジョブ固有情報などを％〜％文字列で表現し、その文字列を出力条件に指定することによって、様々な業務フローと連携することができる。
【００５７】
また、％ＱＲコード％、％バーコード％は、ジョブに入力されたファイルの先頭ページのＱＲコード、バーコードを文字列に変換できる。例えば、ＱＲコードつきの紙原稿を送信すると、自動的にＱＲコードのファイル名や文書名にすることができる。
【００５８】
さらに、受信文書では、％受信〜％を指定すれば、送付状の内容、転送、蓄積、印刷条件に受信時の条件を指定することができる。例えば、発信元を地紋印刷のすかしに印刷することができる。また、受信文書に％ＱＲコード％や％バーコード％を指定すれば、先頭ページのＱＲコード、バーコードを出力条件に指定できる。例えば、ＱＲコードのファイル名で送信することができる。
【００５９】
ファイル分割設定部１０８は、デジタル複写機１のジョブ実行条件の一つであるファイル分割を設定する。ファイル分割とは、デジタル複写機１が例えば画像読取装置１７から連続して読み取った複数の画像情報を出力（或いは記憶）する場合に、１ファイルとして出力するか若しくは複数のファイルに分割して出力(或いは記憶)するか否かを決定する設定情報である。図７では、「ファイル分割設定」に「する（３）」が対応付けられている。これは、複数のファイルに分割して出力(或いは記憶)する、且つ、その際の分割単位数が３である（つまり３枚の画像情報を１ファイルとしてＰＤＦファイルなどのファイルに集約すること）を示している。
【００６０】
このようにファイル分割を設定することにより、分割単位でＰＤＦファイルを集約し、さらに前述したキーワード設定部１０７の機能を用いてキーワードを設定することができる。例えば、送信ファイル名に％ＱＲコード％を指定すると、各分割単位の先頭ページのＱＲコードをファイル名もつＰＤＦファイルを送信することができる。
【００６１】
以上の機能の構成により、デジタル複写機１では、前述した実施形態１に加えてさらに、ジョブ実行条件設定部１０６において設定された設定内容に応じて、デジタル複写機１は取得した画像情報を識別して出力（或いは記憶）するように制御する。
【００６２】
（動作例）
図９は、本発明の実施形態２におけるデジタル複写機の動作の一例を示すフローチャートである。ここでは、図６の機能ブロック図も参照して、デジタル複写機１が、ジョブ実行条件設定部１０６において設定された設定内容に応じて、取得した画像情報を識別して出力（或いは記憶）するように制御する動作の一例の説明を行う。
【００６３】
まず、デジタル複写機１はジョブ実行指示を入力する（Ｓ１１）。ここでは入力装置１８におけるユーザ入力などによりジョブ実行指示を入力する。ここでは、画像読取装置１７で読み取った画像情報を記憶装置１０５に記憶するジョブの実行指示を入力する。
【００６４】
次に、ステップＳ１２へ移って、デジタル複写機１はジョブ実行条件設定部１０６においてファイル分割をする設定であるか否かを判定する（Ｓ１２）。ファイル分割をする設定である場合（Ｓ１２、ＹＥＳ）、ステップＳ１３へ移る。ファイル分割をしない設定である場合（Ｓ１２、ＮＯ）、ステップＳ２０へ移る。
【００６５】
ステップＳ１３へ移った場合、画像情報取得部１０１は１ページ目から画像情報を取得する（Ｓ１３）。ここでは、画像読取装置１７で読み取られた１ページ目の画像情報を取得する。ここで取得する画像情報は、前述した図４のようにＱＲコードなどの２次元コードが所定位置に記録された画像データであるとする。
【００６６】
ステップＳ１４へ移って、識別情報認識部１０３は設定されたキーワードに基づき識別情報を認識する（Ｓ１４）。ここでは、「キーワード設定」に「％ＱＲコード％」が対応付けられているものとする。前述したように、デジタル複写機１が画像情報を出力（或いは記憶）する際の出力ファイル名（或いは保存ファイル名）の全部又は一部が、画像情報内のＱＲコードに格納された文字列に変換される設定である。このとき、識別情報認識部１０３は、図４に示すＱＲコードに含まれる所定の文字列を識別情報とする。
【００６７】
ステップＳ１５へ移って、画像情報認識部１０２はステップＳ１３で取得した画像情報を認識する（Ｓ１５）。ここでは、図４に示す画像情報を認識する。続いて、ステップＳ１６へ移って、デジタル複写機１は取得した画像情報の総数はファイル分割単位数に到達したか否かを判定する（Ｓ１６）。到達した場合（Ｓ１６、ＹＥＳ）、ステップＳ１９へ移る。到達していないと判定すると（Ｓ１６、ＮＯ）、ステップＳ１７へ移る。
【００６８】
ステップＳ１７へ移った場合、画像情報取得部１０１は次のページから画像情報を取得する（Ｓ１７）。ここでは、画像読取装置１７で読み取られた次のページの画像情報を取得する。ここで取得する画像情報は、前述した図４のようにＱＲコードなどの２次元コードが所定位置に記録された画像データであるとする。続いてステップＳ１８へ移って、画像情報認識部１０２はステップＳ１７で取得した画像情報を認識する（Ｓ１８）。ここでは、図４に示す画像情報を認識する。
【００６９】
ステップＳ１９へ移った場合、出力制御部１０４はステップＳ１５〜Ｓ１８で認識した画像情報を、ステップＳ１４で認識した識別情報に応じて、出力（或いは記憶）する（Ｓ１９）。ここでは、ステップＳ１５〜Ｓ１８に係る処理により画像読取装置１７から連続して読み取った複数の画像情報に基づき生成するＰＤＦファイルなどの電子ファイルのファイル名（文書名、カテゴリー名などを含む）に、ステップＳ１４で認識した識別情報を付加して、記憶装置１０５などにより電子ファイルを記憶する。図１０及び図１１を用いてより具体的に説明する。
【００７０】
図１０は、ファイル分割単位数１の場合のデジタル複写機の動作を説明するための図である。ファイル分割単位数１の場合には、読み取った１枚の画像情報が１ファイルとしてＰＤＦファイルなどのファイルに集約されている。また、ファイル名には各々の画像情報内のＱＲコードに格納された文字列が変換されている。
【００７１】
図１１は、ファイル分割単位数２以上の場合のデジタル複写機の動作を説明するための図である。ファイル分割単位数２以上の場合（図１１ではファイル分割単位数３の場合）には、読み取った３枚の画像情報を１ファイルとしてＰＤＦファイルなどのファイルに集約している。また、ファイル名には１枚目（１ページ目）の画像情報内のＱＲコードに格納された文字列が変換されている。
【００７２】
なお、ステップＳ２０〜Ｓ２３に係る処理は、ファイル分割単位数が１の場合のステップＳ１３〜Ｓ１９に係る処理と同様であるとしてここでは説明を省略する。
【００７３】
以上で示される処理により、デジタル複写機１は、ジョブ実行条件設定部１０６において設定された設定内容に応じて、取得した画像情報を識別して出力（或いは記憶）するように制御する。そのため、前述の実施形態１における利点に加えて、デジタル複写機１が識別情報として用いる情報をユーザが自由に設定することなどが可能になる。
【００７４】
以上、各実施形態に基づき本発明の説明を行ってきたが、上記各実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【００７５】
【図１】本発明の実施形態１におけるデジタル複写機の概略構成を示すブロック図である。
【図２】本発明の実施形態１におけるデジタル複写機の機能構成の一例を示すブロック図である。
【図３】本発明の実施形態１におけるデジタル複写機の動作の一例を示すフローチャートである。
【図４】取得する画像情報の一例を示す図である。
【図５】取得した画像情報を識別情報に応じて出力又は記憶する処理を説明するための図である。
【図６】本発明の実施形態２におけるデジタル複写機の機能構成の一例を示すブロック図である。
【図７】ジョブ実行条件設定部において設定された設定内容の一例を示す図である。
【図８】キーワード設定を促す画面表示の一例を示す図である。
【図９】本発明の実施形態２におけるデジタル複写機の動作の一例を示すフローチャートである。
【図１０】ファイル分割単位数１の場合のデジタル複写機の動作を説明するための図である。
【図１１】ファイル分割単位数２以上の場合のデジタル複写機の動作を説明するための図である。
【符号の説明】
【００７６】
１    デジタル複写機
１４    外部記憶装置
１５    外部メディア入出力装置
１６    印刷装置
１７    画像読取装置
１８    表示装置
１９    入力装置
１０１    画像情報取得部
１０２    画像情報認識部
１０３    識別情報認識部
１０４    出力制御部（記憶制御部）
１０５    記憶装置
１０６    ジョブ実行条件設定部
１０７    キーワード設定部
１０８    ファイル分割設定部
【図１】
0005013989.tif 000002
【図２】
0005013989.tif 000003
【図３】
0005013989.tif 000004
【図４】
0005013989.tif 000005
【図５】
0005013989.tif 000006
【図６】
0005013989.tif 000007
【図７】
0005013989.tif 000008
【図８】
0005013989.tif 000009
【図９】
0005013989.tif 000010
【図１０】
0005013989.tif 000011
【図１１】
0005013989.tif 000012